(57)【要約】物品用のスライドオープンパッケージ（１）であって、少なくとも１つの物品と、物品を取り出すための抽出開口部（２０）を備えた内側シェル（２）と、開口部（３０）を備えた外側シェル（３）であって、開口部（３０）を通して内側シェル（２）は、抽出開口部（２０）を通して物品にアクセスできる開位置（Ａ）と、物品へのアクセスを防止する閉位置（Ｂ）との間でスライド方向（Ｘ）にスライドできる、外側シェル（３）と、物品が固定される物品支持壁（４）と、支持壁（４）に接続され且つ折り畳み可能である、外側シェル（３）と内側シェル（２）とを接続する接続要素（５）であって、内側シェル（２）が閉位置（Ｂ）から開位置（Ａ）に移動される場合に、集合位置（Ｃ）から支持壁（４）を回転させて抽出開口部（２０）を通して物品が出てくる伸長位置（Ｄ）に移動される接続要素（５）と、を備える。
2021513936.tif 000002
【特許請求の範囲】
【請求項１】
物品用のスライドオープンパッケージ（１）であって、
少なくとも１つの物品と、
前記物品を前記パッケージ（１）から取り出すための抽出開口部（２０）を備えた内側シェル（２）と、
開口部（３０）を備えた外側シェル（３）であって、前記開口部（３０）を通して前記内側シェル（２）は、前記抽出開口部（２０）を通して前記物品にアクセスできる開位置（Ａ）と、前記物品へのアクセスを防止する閉位置（Ｂ）との間でスライド方向（Ｘ）にスライドできる、外側シェル（３）と、を備え、
前記スライドオープンパッケージ（１）は、
前記物品が固定される物品支持壁（４）と、
前記支持壁（４）に接続され且つ折り畳み可能である、前記外側シェル（３）と前記内側シェル（２）とを接続する接続要素（５）であって、前記内側シェル（２）が前記閉位置（Ｂ）から前記開位置（Ａ）に移動される場合に、集合位置（Ｃ）から前記支持壁（４）を回転させて前記抽出開口部（２０）を通して前記物品が出てくる伸長位置（Ｄ）に移動される接続要素（５）と、を備えるスライドオープンパッケージ（１）。
【請求項２】
前記内側シェル（２）が前記閉位置（Ｂ）にあるとき、前記支持壁（４）が前記スライド方向（Ｘ）に実質的に平行に配置される、請求項１に記載のパッケージ（１）。
【請求項３】
前記物品支持壁（４）が前記物品が固定される支持面を有し、前記閉位置（Ｂ）に対応する第１の位置であって、前記支持面が前記抽出開口部（２０）に向けられた状態で前記支持壁（４）が前記スライド方向（Ｘ）に実質的に平行に配置されて、前記支持面に固定された前記物品が前記内側シェル（２）の内部の空間に向けられる第１の位置と、前記開位置（Ａ）に対応する第２の位置であって、前記支持壁（４）が前記物品を使用者に露出するために前記抽出開口部（２０）の反対側に向けられる第２の位置との間で回転可能である、請求項１または２に記載のパッケージ。
【請求項４】
前記第２の位置での前記支持壁（４）は、前記第１の位置に対して約１８０°回転されている、請求項３に記載のパッケージ。
【請求項５】
前記支持壁（４）が前記内側シェル（２）に対して固定された傾斜軸の周りを回転可能に前記内側シェル（２）に接続されており、それにより、前記支持壁（４）は、特に、前記外側シェル（３）に対して前記内側シェル（２）を挿入するまたは引き出すための動きに従って、前記傾斜軸の周りを中心に回転できる、請求項１から４の１以上に記載のパッケージ。
【請求項６】
前記内側シェル（２）は、前記抽出開口部（２０）に対向する底壁（２１）を備え、
前記外側シェル（３）は、前記内側シェル（２）の前記底壁（２１）に面する下壁（３１）と、前記内側シェル（２）が前記閉位置（Ｂ）にあるとき、前記内側シェル（２）の前記抽出開口部（２０）に面する上壁（３２）と、互いに対向して平行である第１のフランク（３３）および第２のフランク（３４）であって、各々が前記下壁（３１）と前記上壁（３２）とを接続し且つ前記スライド方向（Ｘ）に平行に延在する第１のフランク（３３）および第２のフランク（３４）と、それぞれ前記第１のフランク（３３）および前記第２のフランク（３４）から前記外側シェル（３）の内側に延在する第１のフラップ（３５）および第２のフラップ（３６）であって、前記内側シェル（２）の前記上壁（３２）に面する第１のフラップ（３５）および第２のフラップ（３６）と、を備える、請求項１から５のいずれか１項に記載のパッケージ（１）。
【請求項７】
前記支持壁（４）は、第１の辺（４１）と前記第１の辺（４１）と対向し且つ平行な第２の辺（４２）とを含み、前記第１の辺（４１）および前記第２の辺（４２）は、前記スライド方向（Ｘ）に平行な平面にあり、
前記接続要素（５）は、前記支持壁（４）の前記第１の辺（４１）に固定された第１のストリップ（５０）と、前記支持壁（４）の前記第２の辺（４２）に固定された第２のストリップ（５１）とを備え、
前記第１のストリップ（５０）と前記第２のストリップ（５１）は、前記第１のストリップ（５０）および前記第２のストリップ（５１）がＺ字形構成に配置された前記集合位置（Ｃ）と、前記伸長位置（Ｄ）との間で移動するために折り畳み可能である、請求項１から６のいずれか１項に記載のパッケージ（１）。
【請求項８】
前記第１および第２のストリップ（５０、５１）がそれぞれ、前記外側シェル（３）に接続される第１の端部と、前記第１の端部とは反対側であり且つ前記内側シェル（２）に接続される第２の端部とを有し、前記支持壁（４）は、それぞれの第１の端部と第２の端部との間に含まれる各ストリップ（５０、５１）の中間部分に接続される、請求項７に記載のパッケージ。
【請求項９】
前記第１のストリップ（５０）および前記第２のストリップ（５１）がそれぞれ、
第１のヒンジ線（５２）で前記外側シェル（３）に接続された第１のタブ（５０ａ、５１ａ）と、
第２のヒンジ線（５３）で前記第１のタブ（５０ａ、５１ａ）に接続された第２のタブ（５０ｂ、５１ｂ）と、
第３のヒンジ線（５４）で前記第２のタブ（５０ｂ、５１ｂ）に接続され且つ第４のヒンジ線（５５）で前記内側シェル（２）に接続された第３のタブ（５０ｃ、５１ｃ）と、を備え、
前記第１のストリップ（５０）の前記第３のタブ（５０ｃ）は、前記支持壁（４）の前記第１の辺（４１）に固定され、前記第２のストリップ（５１）の前記第３のタブ（５１ｃ）は、前記支持壁（４）の前記第２の辺（４２）に固定される、請求項７または８に記載のパッケージ（１）。
【請求項１０】
前記傾斜軸は、前記ストリップ（５０、５１）の各々の前記第４のヒンジ線（５５）によって規定される、請求項５に従属する場合の請求項９に記載のパッケージ。
【請求項１１】
前記ストリップ（５０、５１）の各々がまた、それぞれの第４のヒンジ線（５５）によってそれぞれの第３のタブ（５０ｃ、５１ｃ）に接続され且つ好ましくは接着によって前記内側シェル（２）に固定された第４のタブ（５０ｄ、５１ｄ）を有し、各第３のタブ（５０ｃ、５１ｃ）がそれぞれの第４のヒンジ線（５５）の周りで前記内側シェル（２）にヒンジ結合される、請求項９または１０に記載のパッケージ。
【請求項１２】
前記外側シェル（３）の前記第１のフラップ（３５）および前記第２のフラップ（３６）が、前記内側シェル（２）が前記閉位置（Ｂ）にあるときに、それぞれ前記第１のバンド（５０）および前記第２のバンド（５１）の前記第１のタブ（５０ａ、５１ａ）と前記第２のタブ（５０ｂ、５１ｂ）との間に配置される、請求項６および９に記載のパッケージ（１）。
【請求項１３】
前記第１のフラップ（３５）および前記第２のフラップ（３６）がそれぞれ、前記外側シェル（３）の前記上壁（３２）に接着された第１の部分（３５ａ、３６ａ）と、前記第１の部分（３５ａ、３６ａ）に連続し且つ前記第１のストリップ（５０）および前記第２のストリップ（５１）の前記第１のタブ（５０ａ、５１ａ）にそれぞれ面する、接着剤のない第２の部分（３５ｂ、３６ｂ）と、を備える請求項６および請求項９または１２に記載のパッケージ（１）。
【請求項１４】
前記第１のフラップ（３５）および前記第２のフラップ（３６）の前記第２の部分（３５ｂ、３６ｂ）は、前記第２の部分（３５ｂ、３６ｂ）の自由端の近くにおいて前記内側シェル（２）の前記スライド方向（Ｘ）に対して横方向のヒンジ線（３８）を含む、請求項１３に記載のパッケージ（１）。
【請求項１５】
前記第２のタブ（５０ｂ、５１ｂ）が、前記第２のヒンジ線（５３）で前記第１のタブ（５０ａ、５１ａ）に接続された第１の部分（５０１、５１１）と、第５のヒンジ線（５６）で前記第１の部分（５０１、５１１）に接続され且つ前記第３のヒンジ線（５４）で前記第３のタブ（５０ｃ、５１ｃ）に接続された第２の部分（５０２、５１２）と、を備える請求項９から１４のいずれか１項に記載のパッケージ（１）。
【請求項１６】
前記第１のストリップ（５０）の前記第１のタブ（５０ａ、５１ａ）が、前記第２のストリップ（５１）の前記第１のタブ（５０ａ、５１ａ）に接続される、請求項９から１５のいずれか１項に記載のパッケージ（１）。
【請求項１７】
前記第１のヒンジ線（５２）、前記第２のヒンジ線（５３）、前記第３のヒンジ線（５４）および前記第４のヒンジ線（５５）が互いに平行であり且つ前記内側シェル（２）の前記スライド方向（Ｘ）に対して直角である、請求項９から１６のいずれか１項に記載のパッケージ（１）。
【請求項１８】
前記外側シェル（３）、前記接続要素（５）および前記支持壁（４）が単一部品として作製されている、請求項１から１７のいずれか１項に記載のパッケージ（１）。
【請求項１９】
前記物品を収容し、前記支持壁（４）に固定されたブリスターパック（６）を含む、請求項１から１８のいずれか１項に記載のパッケージ（１）。
【発明の詳細な説明】
【技術分野】
【０００１】
本発明は、喫煙物品（例えば、電子タバコカートリッジまたは加熱式（heat-not-burn）タイプの物品用のタバコセグメント）などの物品、または医薬品用のスライドオープンパッケージに関する。
【背景技術】
【０００２】
先行技術において既知であるのは、物品を収容するトレイと、当該トレイがスライドすることができる開口部を有する外側シェルとを含む、物品用のパッケージである。より具体的には、トレイは、物品へのアクセスを可能にする開位置と、アクセスを防止する閉位置との間をスライドすることができる。
【０００３】
誤って製品が落下するのを防ぐために、トレイは外側シェルから部分的にのみ引き出すことができる。このため、このパッケージでは、物品をトレイから取り出すことが難しい。
【発明の概要】
【０００４】
本発明の目的は、上記の欠点を克服する、物品用のスライドオープンパッケージを提供することである。
【０００５】
より具体的には、本発明の目的は、物品の取り出しを容易にし、同時に、パッケージが開かれるときに物品が落下するリスクを最小限に抑えるスライドオープンパッケージを提供することである。
【０００６】
上記の目的は、添付の特許請求の範囲による物品用のスライドオープンパッケージによって達成される。
【図面の簡単な説明】
【０００７】
本発明は、本発明の非限定的な実施形態を示す添付の図面を参照して以下に説明される。
【図１−２】それぞれ、内側シェルが閉位置および開位置にある、本発明のパッケージの第１の実施形態の斜視図を示す。
【図３】図１のパッケージの外側シェル、接続要素および支持壁の斜視図である。
【図４】図１のパッケージの内側シェルの斜視図である。
【図５】図３の外側シェル、接続要素および支持壁を作製するために使用されるブランクの平面図である。
【図６】図４の内側シェルを作製するために使用されるブランクの平面図である。
【図７−８】それぞれ、図１および図２の断面図である。
【図９−１０】それぞれ、図１および２のパッケージの一部を形成するブリスターパックの上面図および側面図である。
【図１１】内側シェルが開位置にある、本発明のパッケージのさらなる実施形態の斜視図である。
【図１２】図１１のパッケージのブリスターパックの斜視図である。
【図１３】図１２のパッケージのブリスターパックの実施形態の斜視図である。
【発明を実施するための形態】
【０００８】
添付の図面を参照すると、数字１は、本発明による物品（図示せず）用のスライドオープンパッケージを総称的に示している。
【０００９】
「物品」という用語は、タバコ、葉巻、電子タバコ、電子タバコカートリッジ、または加熱式（heat-not-burn（ＨＮＢ））タイプの物品用のタバコセグメントなどのタバコ産業の物品を指す。代替的に、「物品」という用語は、食品産業の物品、具体的には菓子またはチョコレートなどの製菓、またはバイアルなどの製薬産業または化粧品産業の物品を指す場合がある。さらなる代替として、「物品」という用語は、電子産業の物品を指す場合がある。
【００１０】
図１〜１０を参照して以下に説明するのは、本発明のパッケージ１の第１の好ましい実施形態である。
【００１１】
パッケージ１は、５つの物品（図示せず）と、物品をパッケージ１から取り出すための抽出開口部２０を含む内側シェル２と、外側シェル３であって、開口部３０を含み、当該開口部３０を介して、内側シェル２が抽出開口部２０を通して物品へのアクセスを可能にする開位置Ａと、物品へのアクセスを防止する閉位置Ｂとの間でスライド方向Ｘにスライドできる、外側シェル３と、を含む。
【００１２】
パッケージ１はまた、物品が固定される物品支持壁４と、外側シェル３と内側シェル２とを接続し且つ支持壁４に接続される接続要素５とを備える。
【００１３】
さらに、接続要素５は、内側シェル２が閉位置Ｂから開位置Ａに移動されるときに、接続要素５が集合位置Ｃから伸長位置Ｄに移動されるように折り畳み可能であり、これにより、支持壁４が回転し、物品が抽出開口部２０を通って出てくる。
【００１４】
このように、内側シェル２を閉位置Ｂから開位置Ａに移動させると、（内側シェル２と外側シェル３の両方に接続されている）接続要素５が、集合位置Ｃから伸長位置Ｄに移動する。接続要素５のこの動きにより、支持壁４が回転して内側シェル２の抽出開口部２０を介して少なくとも部分的に外に出る。これは、有利には、物品をパッケージ１から取り出すことをより容易にする。
【００１５】
さらに、物品は（回転を受ける）支持壁４に固定されるので、パッケージ１が開かれるときに物品が落下する危険が最小限に抑えられる。
【００１６】
図１〜１０に示す実施形態を参照すると、パッケージ１は、５つの物品と、５つの物品を収容し且つ支持壁４に固定されたブリスターパック６（図９および１０）とを含む。
【００１７】
ブリスターパック６は、実質的に長方形の形状（具体的には、支持壁４と同形状）であり、第１の端部６０と、第１の端部６０と対向し且つ平行な第２の端部６１とを含む。
【００１８】
支持壁４は、ブリスターパック６を支持壁４に取り外し可能に固定するために、ブリスターパック６の第１の端部６０および第２の端部６１を受容するサイズの一対のスリット４０を備える（図２）。有利なことに、パッケージ１の使用者は、毎回パッケージを開けるときに物品が落下するリスクを回避しつつ、必要な回数だけパッケージ１を使用することができる。
【００１９】
あるいは、ブリスターパック６は支持壁４に接着されてもよく、またはブリスターパック６は異なる形状およびサイズを有してもよい。
【００２０】
さらに、パッケージ１は異なる数の物品を収容してもよい。
【００２１】
さらなる代替として、パッケージ１は、ブリスターパック６を含まなくてもよく、複数の物品（または１つの物品）は、支持壁４に直接固定されてもよい。
【００２２】
好ましくは、支持壁４は、内側シェル２が閉位置Ｂにある場合、スライド方向Ｘに実質的に平行に配置される（図７）。
【００２３】
電子タバコカートリッジを収納するためにパッケージ１が使用されるとすると、内側シェル２が閉位置Ｂにある場合、カートリッジは実質的に水平に配置される。パッケージ１の厚さは、少なくともカートリッジの厚さに等しい必要がある。これに関して、内側シェル２が閉位置Ｂにあるときに支持壁４がスライド方向Ｘに対して実質的に直角である場合、パッケージ１の厚さは実質的に物品の高さ（例では、カートリッジの厚さよりも大きい、カートリッジの高さ）に対応する。
【００２４】
有利には、提案されたパッケージ１は、収容し得る物品のサイズに関して使用される材料を最適化することを可能にする。
【００２５】
言い換えると、接続要素５（以下で詳細に説明する）により、支持壁４を最大１８０°回転させることができる。
【００２６】
図４を参照すると、内側シェル２は、抽出開口部２０に対向する底壁２１を含む。内側シェル２はまた、底壁２１から上方に延び且つ抽出開口部２０の範囲を定める縁部２２（閉ループの箱形）を含む。
【００２７】
内側シェル２のこの実施形態は、図６に示すブランクを折り曲げて接着することによって得ることができる。図６では、各部分は、可能な場合には、内側シェル２の対応する部分を示す参照番号と同じであるプライムされた参照番号でラベル付けされている。
【００２８】
図示のように、この実施形態の内側シェル２は、トレイ状の形状である。
【００２９】
図示されていない別の実施形態では、内側シェル２は、異なる形状およびサイズであってもよい。内側シェル２は、また、開ループの縁部を持ってもよい。
【００３０】
好ましくは、内側シェル２は、厚紙（単層または多層）でできている。
【００３１】
あるいは、内側シェル２は、プラスチック材料でできていてもよい。
【００３２】
特に図３を参照すると、外側シェル３は、内側シェル２の底壁２１に面する下壁３１と、内側シェル２が閉位置Ｂにある場合に内側シェル２の抽出開口部２０に面する上壁３２と、互いに対向し且つ平行である第１のフランク３３および第２のフランク３４であって、各々が下壁３１および上壁３２を接続し、スライド方向Ｘに平行に延在する第１のフランク３３および第２のフランク３４と、それぞれ第１のフランク３３および第２のフランク３４から外側シェル３の内側に延びる第１のフラップ３５および第２のフラップ３６であって、内側シェル２の上壁３２に面している第１のフラップ３５および第２のフラップ３６と、を含む。
【００３３】
外側シェル３はまた、第１のフランク３３と第２のフランク３４を互いに接続し、スライド方向Ｘに対して直角に延び、内側シェル２がスライドできる開口部３０に面する第３のフランク３７を含む。
【００３４】
外側シェル３は、第１のフランク３３および第２のフランク３４の一端（具体的には開口部３０の近くの端）にそれぞれ形成された一対の窪み３９を備える。有利には、窪み３９は、内側シェル２を把持して外側シェル３から滑らせるのをより容易にする。
【００３５】
好ましくは、外側シェル３は、厚紙（単層または多層）でできている。
【００３６】
あるいは、外側シェル３は、プラスチック材料で作ることができる。
【００３７】
図１から１０を参照すると、外側シェル３、接続要素５および支持壁４は、単一部品として作られる。言い換えれば、外側シェル３、接続要素５および支持壁４は、同一のブランクから作られる。例えば、単一部品として作られた外側シェル３、接続要素５、および支持壁４は、図５に示すブランクを折り曲げて接着することによって得ることができ、各部分は、可能な場合、外側シェル３、接続要素５および支持壁４の対応する部分を示す参照番号と同じであるプライムされた参照番号でラベル付けされる。
【００３８】
別の実施形態では、外側シェル３、接続要素５および支持壁４は、それぞれ特定のブランクから作られ且つ後の段階で互いに接続（接着）されてもよい。
【００３９】
接続要素５および／または支持壁４は、厚紙（単層または多層）でできている。あるいは、それらはプラスチック材料でできていてもよい。
【００４０】
支持壁４は、内側シェル２に対して固定された傾斜軸を中心に回転可能に内側シェル２に接続され、それにより、支持壁４は、特に内側シェル２が外側シェル３に挿入されるか、または外側シェル３から引き出される場合に実行される昇降運動に従って、傾斜軸を中心に回転することができる。
【００４１】
図２および３を参照すると、支持壁４の形状は実質的に（縁が丸められた）長方形である。支持壁４は、第１の辺４１および第１の辺４１と対向し且つ平行である第２の辺４２を含み、第１の辺４１および第２の辺４２は、少なくともパッケージの完全な閉構成において、および好ましくはまた完全な開構成において、スライド方向Ｘに平行な平面にある（つまり、パッケージ１が閉構成Ｂから開構成Ａに移動する間、および開構成Ａから閉構成Ｂに移動する間、スライド方向Ｘに平行な平面にある）。支持壁４はまた、互いに対向し且つ平行である第３の辺４３および第４の辺４４を含み、第３の辺４３および第４の辺４４は、第１の辺４１および第２の辺４２を接続し、内側シェル２のスライド方向Ｘに対して実質的に直角である。
【００４２】
支持壁４およびブリスターパック６の形状は、好ましくは類似している。しかしながら、ブリスターパック６のサイズは、好ましくは、支持壁４よりも小さい。
【００４３】
接続要素５は、支持壁４の第１の辺４１に固定された第１のストリップ５０と、支持壁４の第２の辺４２に固定された第２のストリップ５１とを含む（図３）。各ストリップ５０、５１は、外側シェル３に接続された第１の端部と、第１の端部の反対側であり且つ内側シェル２に接続された第２の端部とを有する。支持壁４は、ストリップ５０、５１のそれぞれの第１の端部と第２の端部との間に含まれる各ストリップ５０、５１の中間部分に接続される。
【００４４】
第１のストリップ５０および第２のストリップ５１は、第１のストリップ５０および第２のストリップ５１がＺ字形構成で配置される集合位置Ｃ（図１および７）と伸長位置Ｄ（図２および８）との間で移動するために折り畳み可能である。
【００４５】
このようにして、物品支持壁４は支持面を有し、当該支持面に物品が固定され、支持面は閉位置Ｂに対応する第１の位置であって、支持面が抽出開口部２０に向けられた状態で支持壁４がスライド方向「Ｘ」に実質的に平行に配置されて支持面に固定された物品が内側シェル２の内側の空間に向けられる第１の位置と、開位置Ａに対応する第２の位置であって、支持壁４が抽出開口部２０の反対側に向けられて物品をユーザに露出させる第２の位置との間で回転可能である。支持壁４の回転は、支持壁４が貼り付けられる各ストリップ５０、５１の中間部分を、伸長構成（開位置Ａ）とＺ字形構成（閉位置Ｂ）との間で移動させることによって得られる。
【００４６】
第１のバンド５０および第２のバンド５１はそれぞれ、第１のヒンジ線５２で外側シェル３に接続された第１のタブ５０ａ、５１ａと、第２のヒンジ線５３で第１のタブ５０ａ、５１ａに接続された第２のタブ５０ｂ、５１ｂと、第３のヒンジ線５４で第２のタブ５０ｂ、５１ｂに接続され且つ第４のヒンジ線５５で内側シェル２に接続された第３のタブ５０ｃ、５１ｃと、を含む。
【００４７】
第１のヒンジ線５２、第２のヒンジ線５３、第３のヒンジ線５４および第４のヒンジ線５５は、互いに平行であり且つ内側シェル２のスライド方向Ｘに対して直角である。有利には、それらは、第１のストリップ５０および第２のストリップ５１の、集合位置Ｃから伸長位置Ｄへの移動、およびその逆の移動を容易にする。
【００４８】
有利には、傾斜軸は、各ストリップ５０、５１の第４のヒンジ線５５によって規定される。より詳細に見ると、第４のヒンジ線５５は互いに一致して、支持壁４のための共通の傾斜軸を形成する。
【００４９】
第３のタブ５０ｃは、支持壁４の第１の辺４１に固定され、第３のタブ５１ｃは、支持壁４の第２の辺４２に固定される。
【００５０】
図３を参照すると、第１のストリップ５０および第２のストリップ５１の第１のタブ５０ａ、５１ａは、外側シェル３の上壁３２に接続されている（より詳細には、既に述べたように、第１のストリップ５０および第２のストリップ５１は、図示の実施形態では、外側シェル３と単一部品として作製される）。
【００５１】
言い換えれば、第１のストリップ５０および第２のストリップ５１の第１のタブ５０ａ、５１ａは、内側シェル２の上壁３２の延長部を形成する。実際には、第１のストリップ５０および第２のストリップ５１の第１のタブ５０ａ、５１ａはまた、内側シェル２の下壁３１に面している。
【００５２】
好ましくは、第１のストリップ５０の第１のタブ５０ａは、第２のストリップ５１の第１のタブ５１ａに接続される（図１）。そのような場合、第１のストリップ５０および第２のストリップ５１の第１のヒンジ線５２は連続している。
【００５３】
第１のストリップ５０および第２のストリップ５１の第３のタブ５０ｃ、５１ｃは、第４のヒンジ線５５で第４のタブ５０ｄ、５１ｄに接続され、第４のタブ５０ｄ、５１ｄは内側シェル２に接着される（言い換えれば、第３のタブ５０ｃ、５１ｃは、第４のタブ５０ｄ、５１ｄを内側シェル２に、好ましくは内側シェル２の箱状の縁部２２に接着することによって、内側シェル２に接続される）。
【００５４】
内側シェル２が閉位置Ｂにあるとき、外側シェル３の第１のフラップ３５および第２のフラップ３６は、それぞれ、第１のストリップ５０および第２のストリップ５１の第１のタブ５０ａ、５１ａと第２のタブ５０ｂ、５１ｂとの間に配置される。有利には、内側シェル２が閉位置Ｂにあるとき、接続要素５は確実に集合位置にあり、パッケージ１はこうして閉じられている。
【００５５】
さらに、内側シェル２が閉位置Ｂにあるとき、第１のストリップ５０および第２のストリップ５１の第２のタブ５０ｂ、５１ｂは、対応するそれぞれの第３のタブ５０ｃ、５１ｃに面する。
【００５６】
第１のフラップ３５および第２のフラップ３６はそれぞれ、外側シェル３の上壁３２に接着された第１の部分３５ａ、３６ａと、第１の部分３５ａ、３６ａに連続し且つ第１のストリップ５０および第２のストリップ５１の第１のタブ５０ａ、５１ａにそれぞれ面する、接着剤なしの第２の部分３５ｂ、３６ｂと、を含む。
【００５７】
さらに、第１のフラップ３５および第２のフラップ３６の第２の部分３５ｂ、３６ｂは、第２の部分３５ｂ、３６ｂの自由端の近くに、内側シェル２のスライド方向Ｘを（特に直角に）横切るヒンジ線３８を備える。
【００５８】
有利には、第１のフラップ３５および第２のフラップ３６のこの構成は、接続要素５の第１のストリップ５０および第２のストリップ５１の伸長位置Ｄから集合位置Ｃへの移動を容易にする。
【００５９】
第１のストリップ５０および第２のストリップ５１の第１のタブ５０ｂ、５１ｂは、第２のヒンジ線５３で第１のタブ５０ａ、５１ａに接続された第１の部分５０１、５１１と、第５のヒンジ線５６で第１の部分５０１、５１１に接続され且つ第３のヒンジ線５４で第３のタブ５０ｃ、５１ｃに接続された第２の部分５０２、５１２と、を備える。
【００６０】
さらに、第５のヒンジ線５６は、第１のストリップ５０および第２のストリップ５１の、伸長位置Ｄから集合位置Ｃへの、およびその逆の移動をさらに容易にする。
【００６１】
第５のヒンジ線５６は、好ましくは、第２のヒンジ線５３および第３のヒンジ線５４に平行である。また、第５のヒンジ線５６はまた、内側シェル２のスライド方向Ｘと直交している。
【００６２】
「ヒンジ線」という用語は、それが接続するタブの互いに対する回転を容易にする脆弱線を意味するために使用されることが明記されている。
【００６３】
好ましくは、第１のヒンジ線５２、第２のヒンジ線５３、第３のヒンジ線５４、第４のヒンジ線５５および第５のヒンジ線５６は、材料を弱めることにより（具体的には、材料に折り目を付けることにより）作られる。あるいは、それらは、材料を部分的に切断して作成されてもよいし、事前に折り畳む線であってもよい。
【００６４】
パッケージ１はまた、外側シェル３に対する内側シェル２のスライドを停止する停止手段７を含む。有利には、内側シェル２が外側シェル３から完全に滑り出ることが防止される。
【００６５】
特に図５−７を参照すると、停止手段７は、外側シェル３の下壁３１から延在し、外側シェル３の内側にあり且つ下壁３１に面する（単一部品として作られる）一対の舌部７１と、内側シェル２の底壁２１から延び、底壁２１に面する一対の付属物７２と、を含む。好ましくは、舌部７１は、外側シェルの下壁３１に接着されていない（有利には、これにより、外側シェル３の縁部の見た目の悪い膨張が回避される）。あるいは、舌部７１は、外側シェル３の下壁３１に部分的に接着されてもよい。どちらの場合でも、２つの付属物７２の各々は、内側シェル２が開位置Ａにあるときに、対応するそれぞれの舌部７１と係合するように（つまり、舌部７１と外側シェル３の下壁３１との間に配置されるように）設計される。
【００６６】
停止手段７の付属物は、図示したものとは数および形状において異なり得ることが理解される。同様に、舌部７１も、図示されているものとは形状およびサイズにおいて異なっていてもよい。
【００６７】
特に図８を参照すると、パッケージ１は、内側シェル２が開構成Ａにあるとき、第１のタブ５０ａ、５１ａが外側シェル２の上壁３２と約２６°の角度をなし、第２のタブ５０ｂ、５１ｂの第１の部分５０１、５１１が第１のタブ５０ａ、５１ａと約１９°の角度をなし、第２のタブ５０ｂ、５１ｂの第２の部分５０２、５１２が第２のタブ５０ｂ、５１ｂの第１の部分５０１、５１１と約４°の角度をなし、第３のタブ５０ｃ、５１ｃが内側シェル２の抽出開口部２０の平面と約５３°の角度をなすようなサイズである（支持壁４の傾斜角度と同じ傾斜角度であり、この場合、支持壁は１２７°の回転を行う）。
【００６８】
これらの角度は、例えば、内側シェル２が外側シェル３に対して動くことができる範囲を変えることによって変えることができる。より具体的には、内側シェル２が開構成Ａにあるとき、支持壁４は理想的には実質的に水平であり得る。そのような場合、支持壁４は、約１８０°の回転を実行する。
【００６９】
図１１および１２は、図１−１０に示されているものに代わる本発明のパッケージ１の実施形態を示している。この実施形態のパッケージ１は、内側シェル２、外側シェル３、およびブリスターパック６の形状およびサイズにおいて、前述のものとは異なる。より具体的には、パッケージ１のこのさらなる実施形態の低減されたサイズを考慮すると、それは単一の物品を収容するのに特に適している。図１−１０のパッケージ１を参照して説明したすべての特別な機能はまた、図１１および１２のパッケージ１に適用できる。
【００７０】
図１３は、図１２のものの代わりに使用できるブリスターパック６を示す。このブリスターパック６はまた、取り外し可能なブリスターパック６を支持壁４に固定するためのスリット４０が適切に適合されている限り、図１１のパッケージ１と共に使用することができる。
【図１】
2021513936.tif 000003
【図２】
2021513936.tif 000004
【図３】
2021513936.tif 000005
【図４】
2021513936.tif 000006
【図５】
2021513936.tif 000007
【図６】
2021513936.tif 000008
【図７】
2021513936.tif 000009
【図８】
2021513936.tif 000010
【図９】
2021513936.tif 000011
【図１０】
2021513936.tif 000012
【図１１】
2021513936.tif 000013
【図１２】
2021513936.tif 000014
【図１３】
2021513936.tif 000015
【国際調査報告】
2021513936.tif 000016
2021513936.tif 000017
2021513936.tif 000018